(57)【特許請求の範囲】
【請求項１】
複数の問題にそれぞれ対応する複数の答案が記入された答案用紙を、ユーザーの操作に基づいて採点する答案採点プログラムであって、
前記答案用紙の画像を読み取って生成された答案用紙画像を表示する答案表示部、
正答であることを示し前記答案の配点に対応付けられた正答画像と、誤答であることを示す誤答画像とを含む評価画像を表示する評価画像表示部、
ユーザーからの入力に基づき、前記正答画像又は前記誤答画像を選択する選択部、
前記正答画像が選択される度に、得点の累計である累計得点に前記配点を加算して更新し、更新された前記累計得点を表示する累計得点表示部、及び、
前記正答画像又は前記誤答画像が選択される度に、前記配点の累計である累計配点に前記配点を加算して更新し、更新された前記累計配点を表示する累計配点表示部
としてコンピューターを機能させ、
前記コンピューターを、
ユーザーからの入力に基づき、前記評価画像表示部が表示する前記評価画像と前記配点とを変更する評価画像変更部として更に機能させ、
前記評価画像は、前記答案の一部が正答であることを示す一部正答画像を更に含み、
前記一部正答画像は、前記配点のうち一部の配点を示す一部配点に対応付けられ、
前記選択部は、ユーザーからの入力に基づき、前記正答画像、前記誤答画像、及び前記一部正答画像のいずれか１つを選択し、
前記累計得点表示部は、前記一部正答画像が選択される度に、前記累計得点に前記一部配点を加算して更新し、更新された前記累計得点を表示し、
前記累計配点表示部は、前記一部正答画像が選択される度に、前記累計配点に前記配点を加算して更新し、更新された前記累計配点を表示し、
前記評価画像変更部は、ユーザーからの入力に基づき、前記一部配点を変更し、
前記評価画像変更部は、前記配点の変更に応じて前記累計配点が満点を超える場合に、前記満点を超える旨と前記配点の更なる変更を促す旨とを表示する、答案採点プログラム。
【請求項２】
前記選択部は、ユーザーからの入力に基づき、選択された前記評価画像を前記答案用紙画像に配置し、
前記評価画像変更部は、
ユーザーからの入力に基づき、配置された前記評価画像の位置を変更し、
ユーザーからの入力に基づき、前記評価画像表示部が表示する前記評価画像のサイズを変更する、請求項１に記載の答案採点プログラム。
【請求項３】
前記評価画像表示部は、前記評価画像を複数個表示し、
複数個の前記評価画像に含まれる前記正答画像に対応付けられた前記配点は、それぞれ互いに異なる、請求項１又は請求項２に記載の答案採点プログラム。
【請求項４】
前記累計得点表示部は、前記累計配点表示部が前記累計配点として満点を表示した場合に、ユーザーからの入力に応じて、対応する前記累計得点を前記答案用紙画像に配置して表示する、請求項１から請求項３のいずれか１項に記載の答案採点プログラム。
【請求項５】
複数の問題にそれぞれ対応する複数の答案が記入された答案用紙を、ユーザーの操作に基づいて採点する答案採点装置であって、
前記答案用紙の画像を読み取って生成された答案用紙画像を表示する答案表示部と、
正答であることを示し前記答案の配点に対応付けられた正答画像と、誤答であることを示す誤答画像とを含む評価画像を表示する評価画像表示部と、
ユーザーからの入力に基づき、前記正答画像又は前記誤答画像を選択する選択部と、
前記正答画像が選択される度に、得点の累計である累計得点に前記配点を加算して更新し、更新された前記累計得点を表示する累計得点表示部と、
前記正答画像又は前記誤答画像が選択される度に、前記配点の累計である累計配点に前記配点を加算して更新し、更新された前記累計配点を表示する累計配点表示部と
を備え、
ユーザーからの入力に基づき、前記評価画像表示部が表示する前記評価画像と前記配点とを変更する評価画像変更部を更に備え、
前記評価画像は、前記答案の一部が正答であることを示す一部正答画像を更に含み、
前記一部正答画像は、前記配点のうち一部の配点を示す一部配点に対応付けられ、
前記選択部は、ユーザーからの入力に基づき、前記正答画像、前記誤答画像、及び前記一部正答画像のいずれか１つを選択し、
前記累計得点表示部は、前記一部正答画像が選択される度に、前記累計得点に前記一部配点を加算して更新し、更新された前記累計得点を表示し、
前記累計配点表示部は、前記一部正答画像が選択される度に、前記累計配点に前記配点を加算して更新し、更新された前記累計配点を表示し、
前記評価画像変更部は、ユーザーからの入力に基づき、前記一部配点を変更し、
前記評価画像変更部は、前記配点の変更に応じて前記累計配点が満点を超える場合に、前記累計配点が前記満点を超える旨と前記配点の更なる変更を促す旨とを表示する、答案採点装置。
【請求項６】
画像読取装置と、前記画像読取装置に通信可能に接続されたサーバー装置と、前記サーバー装置と通信可能に接続された答案採点装置とを備える答案処理システムであって、
前記画像読取装置は、
複数の問題にそれぞれ対応する複数の答案が記入されている答案用紙の画像を読み取り、答案用紙画像情報を生成する読取部と、
前記答案用紙画像情報を前記サーバー装置に送信する送信部と
を備え、
前記答案採点装置は、
前記サーバー装置から受信した前記答案用紙画像情報に対応する答案用紙画像を表示する答案表示部と、
正答であることを示し前記答案の配点に対応付けられた正答画像と、誤答であることを示す誤答画像とを含む評価画像を表示する評価画像表示部と、
ユーザーからの入力に基づき、前記正答画像又は前記誤答画像を選択する選択部と、
前記正答画像が選択される度に、得点の累計である累計得点に前記配点を加算して更新し、更新された前記累計得点を表示する累計得点表示部と、
前記正答画像又は前記誤答画像が選択される度に、前記配点の累計である累計配点に前記配点を加算して更新し、更新された前記累計配点を表示する累計配点表示部と、
ユーザーからの入力に基づき、前記評価画像表示部が表示する前記評価画像と前記配点とを変更する評価画像変更部と
を備え、
前記評価画像は、前記答案の一部が正答であることを示す一部正答画像を更に含み、
前記一部正答画像は、前記配点のうち一部の配点を示す一部配点に対応付けられ、
前記選択部は、ユーザーからの入力に基づき、前記正答画像、前記誤答画像、及び前記一部正答画像のいずれか１つを選択し、
前記累計得点表示部は、前記一部正答画像が選択される度に、前記累計得点に前記一部配点を加算して更新し、更新された前記累計得点を表示し、
前記累計配点表示部は、前記一部正答画像が選択される度に、前記累計配点に前記配点を加算して更新し、更新された前記累計配点を表示し、
前記評価画像変更部は、ユーザーからの入力に基づき、前記一部配点を変更し、
前記評価画像変更部は、前記配点の変更に応じて前記累計配点が満点を超える場合に、前記累計配点が前記満点を超える旨と前記配点の更なる変更を促す旨とを表示し、
前記サーバー装置は、
前記画像読取装置から前記答案用紙画像情報を受信する受信部と、
前記答案用紙画像情報を前記答案採点装置に送信する送信部と
を備える、答案処理システム。
【発明の詳細な説明】
【技術分野】
【０００１】
本発明は、答案採点プログラム、答案採点装置、及び答案処理システムに関する。
【背景技術】
【０００２】
採点用ペンを用いてテストの答案用紙を採点する採点システム（答案処理システム）が知られている。このような採点システムが特許文献１に開示されている。特許文献１に記載の採点システムには、答案用紙の採点欄の位置情報に対応付けられた採点用テンプレートと、各設問の配点が規定された配点表とがユーザーによって予め設定されている。特許文献１に記載の採点システムは、採点用ペンに設けられたカメラを用いて、答案用紙に記入された採点用記号（例えば、○記号又は×記号）の種類と、その記入位置とをコンピューターが認識する。特許文献１に記載の採点システムは、記入された採点用記号に対応する配点を採点テンプレートと配点表とに基づいて決定することによって、答案用紙を採点する。
【先行技術文献】
【特許文献】
【０００３】
【特許文献１】特開２００３−２２８６９２号公報
【発明の概要】
【発明が解決しようとする課題】
【０００４】
しかしながら、特許文献１に記載の採点システムでは、採点用テンプレートによって特定された採点欄の位置に採点用記号を記入するため、採点欄の位置が特定されない答案用紙を採点することが困難であった。さらに、特許文献１に記載の採点システムでは、配点の累計を視認しながら採点することができないため、採点漏れに気づくタイミングが遅れる恐れがあった。
【０００５】
本発明は上記課題に鑑みてなされたものであり、採点漏れを抑制することができる答案採点プログラム、答案採点装置、及び答案処理システムを提供することを目的とする。
【課題を解決するための手段】
【０００６】
本発明に係る答案採点プログラムは、複数の問題にそれぞれ対応する複数の答案が記入された答案用紙を、ユーザーの操作に基づいて採点する。前記答案採点プログラムは、答案表示部、評価画像表示部、選択部、累計得点表示部、及び累計配点表示部としてコンピューターを機能させる。前記答案表示部は、前記答案用紙の画像を読み取って生成された答案用紙画像を表示する。前記評価画像表示部は、正答であることを示し前記答案の配点に対応付けられた正答画像と、誤答であることを示す誤答画像とを含む評価画像を表示する。前記選択部は、ユーザーからの入力に基づき、前記正答画像又は前記誤答画像を選択する。前記累計得点表示部は、前記正答画像が選択される度に、得点の累計である累計得点に前記配点を加算して更新し、更新された前記累計得点を表示する。前記累計配点表示部は、前記正答画像又は前記誤答画像が選択される度に、前記配点の累計である累計配点に前記配点を加算して更新し、更新された前記累計配点を表示する。
【０００７】
本発明に係る答案採点装置は、複数の問題にそれぞれ対応する複数の答案が記入された答案用紙を、ユーザーの操作に基づいて採点する。前記答案採点装置は、答案表示部と、評価画像表示部と、選択部と、累計得点表示部と、累計配点表示部とを備える。前記答案表示部は、前記答案用紙の画像を読み取って生成された答案用紙画像を表示する。前記評価画像表示部は、正答であることを示し前記答案の配点に対応付けられた正答画像と、誤答であることを示す誤答画像とを含む評価画像を表示する。前記選択部は、ユーザーからの入力に基づき、前記正答画像又は前記誤答画像を選択する。前記累計得点表示部は、前記正答画像が選択される度に、得点の累計である累計得点に前記配点を加算して更新し、更新された前記累計得点を表示する。前記累計配点表示部は、前記正答画像又は前記誤答画像が選択される度に、前記配点の累計である累計配点に前記配点を加算して更新し、更新された前記累計配点を表示する。
【０００８】
本発明に係る答案処理システムは、画像読取装置と、サーバー装置と、答案採点装置とを備える。前記サーバー装置は、前記画像読取装置に通信可能に接続されている。前記答案採点装置は、前記サーバー装置と通信可能に接続されている。前記画像読取装置は、読取部と、送信部とを備える。前記読取部は、複数の問題にそれぞれ対応する複数の答案が記入されている答案用紙の画像を読み取り、答案用紙画像情報を生成する。前記送信部は、前記答案用紙画像情報を前記サーバー装置に送信する。前記答案採点装置は、答案表示部と、評価画像表示部と、選択部と、累計得点表示部と、累計配点表示部とを備える。前記答案表示部は、前記サーバー装置から受信した前記答案用紙画像情報に対応する答案用紙画像を表示する。前記評価画像表示部は、正答であることを示し前記答案の配点に対応付けられた正答画像と、誤答であることを示す誤答画像とを含む評価画像を表示する。前記選択部は、ユーザーからの入力に基づき、前記正答画像又は前記誤答画像を選択する。前記累計得点表示部は、前記正答画像が選択される度に、得点の累計である累計得点に前記配点を加算して更新し、更新された前記累計得点を表示する。前記累計配点表示部は、前記正答画像又は前記誤答画像が選択される度に、前記配点の累計である累計配点に前記配点を加算して更新し、更新された前記累計配点を表示する。前記サーバー装置は、受信部と、送信部とを備える。前記受信部は、前記画像読取装置から前記答案用紙画像情報を受信する。前記送信部は、前記答案用紙画像情報を前記答案採点装置に送信する。
【発明の効果】
【０００９】
本発明によれば、採点漏れを抑制することができる。
【図面の簡単な説明】
【００１０】
【図１】本発明の実施形態に係る答案処理システムの全体構成を示す図である。
【図２】図１に示す答案処理システムで使用される答案用紙の一例を示す図である。
【図３】図１に示す答案処理システムの構成を示すブロック図である。
【図４】図１に示すタブレットＰＣに表示される採点画面の一例を示す画面図である。
【図５】図１に示すタブレットＰＣに表示される採点画面の一例を示す画面図である。
【図６】図１に示すタブレットＰＣに表示される採点画面の一例を示す画面図である。
【図７】図１に示すタブレットＰＣに表示される登録変更画面の一例を示す画面図である。
【図８】図３に示す画像読取装置の答案処理を示すフローチャートである。
【図９】図３に示すサーバー装置の答案処理を示すフローチャートである。
【図１０】図３に示すタブレットＰＣの答案処理を示すフローチャートである。
【図１１】図３に示すタブレットＰＣの画像閲覧処理を示すフローチャートである。
【図１２】図３に示すサーバー装置の画像閲覧処理を示すフローチャートである。
【発明を実施するための形態】
【００１１】
以下、本発明の実施形態について、図面を参照しながら説明する。なお、図中、同一又は相当部分については同一の参照符号を付して説明を繰り返さない。
【００１２】
図１を参照して、本実施形態に係る答案処理システム１について説明する。図１は、答案処理システム１の全体構成を示す図である。答案処理システム１は、画像読取装置１００と、サーバー装置２００と、タブレットＰＣ（Ｐｅｒｓｏｎａｌ  Ｃｏｍｐｕｔｅｒ）３００とを備える。
【００１３】
一台の画像読取装置１００、一台のサーバー装置２００、及び複数のタブレットＰＣ３００は、ネットワークを介して互いに通信可能に接続されている。例えば、各装置は、インターネット、ＬＡＮ（Ｌｏｃａｌ  Ａｒｅａ  Ｎｅｔｗｏｒｋ）、又は、ＷＡＮ（Ｗｉｄｅ  Ａｒｅａ  Ｎｅｔｗｏｒｋ）を介して通信可能に接続される。本実施形態は、ネットワークの一例としてインターネットを用いる場合について説明する。
【００１４】
画像読取装置１００は、ユーザーの操作に応じて、複数の答案用紙Ｓの画像を読み取る。答案用紙Ｓの詳細については、図２を参照して後述する。画像読取装置１００は、例えば、スキャナーである。画像読取装置１００が複合機（ＭＦＰ：Ｍｕｌｔｉ  Ｆｕｎｃｔｉｏｎ  Ｐｅｒｉｐｈｅｒａｌ）のような画像形成装置に搭載されている実施形態でもよい。画像読取装置１００は、例えば、タッチパネル機能を有するディスプレーを備えている。ユーザーは、タッチパネルから各種指示を入力する。画像読取装置１００は、ユーザーの操作に応じて、原稿台に載置された原稿の画像を光学的に読み取り、画像データを取得する。画像読取装置１００は、原稿を搬送する原稿搬送装置（ＡＤＦ：Ａｕｔｏｍａｔｉｃ  Ｄｏｃｕｍｅｎｔ  Ｆｅｅｄｅｒ）を備えていることが好ましい。画像読取装置１００は、原稿搬送装置によって搬送される複数の原稿の画像を連続して読み取る。
【００１５】
サーバー装置２００は、画像読取装置１００とタブレットＰＣ３００とに通信可能に接続されている。サーバー装置２００は、画像読取装置１００及びタブレットＰＣ３００から送信される各種データを記憶する。また、ユーザーがタブレットＰＣ３００を介してサーバー装置２００にデータを要求することにより、サーバー装置２００は、記憶している各種データの中から対応するデータをタブレットＰＣ３００に送信する。
【００１６】
タブレットＰＣ３００は、「答案採点装置」の一例に相当する。答案採点装置は、テストの答案用紙の採点をユーザーの操作に基づいて実行する。タブレットＰＣの他に、例えば、パーソナルコンピューター、又はスマートフォンを答案採点装置として使用する実施形態でもよい。本実施形態では、答案採点装置がタブレットＰＣ３００である場合について説明する。採点者（ユーザー）は、例えば、テストを実施した教師、及び入学試験の採点担当者のようなテストを採点する者である。タブレットＰＣ３００は、例えば、無線通信でインターネットに接続される。タブレットＰＣ３００は、タッチパネル機能を有するディスプレーを備えている。ユーザーは、タッチパネルから各種指示を入力する。
【００１７】
続いて、図２を参照して、答案用紙Ｓの詳細について説明する。図２は、答案用紙Ｓの一例を示す図である。答案用紙Ｓは、受験者がテストの設問に対する答案Ａを記入した用紙である。受験者は、例えば、小学６年生の生徒である。テストは、例えば、算数のテストである。
【００１８】
答案用紙Ｓには、テストを識別するテスト識別記号Ｔと、生徒を識別する生徒識別記号Ｅと、答案Ａとが記載されている。テスト識別記号Ｔ及び生徒識別記号Ｅは、答案用紙Ｓの上部に記載されている。テスト識別記号Ｔ及び生徒識別記号Ｅは、予め答案用紙Ｓに印字されていてもよいし、解答時に生徒が手書きで記入してもよい。
【００１９】
テスト識別記号Ｔは、科目名を示す科目記号Ｔ１（例えば、「算数」）と、テストの実施回数を示す回数記号Ｔ２（例えば、「４」）とを含む。例えば、テスト識別記号Ｔは、答案用紙Ｓが「４」回目の「算数」のテストに対応する答案用紙であることを示す。
【００２０】
生徒識別記号Ｅは、生徒が所属する集団を示す所属記号Ｅ１（例えば、「６−２」）と、生徒の氏名を示す氏名記号Ｅ２（例えば、「ヤマダ  ハナコ」）とを含む。例えば、生徒識別記号Ｅは、答案を記入した生徒が「６」年「２」組の「ヤマダ  ハナコ」であることを示す。氏名記号Ｅ２は、仮名で表記されているが、漢字、又はアルファベットで表記されていてもよい。
【００２１】
答案Ａは、テストに含まれる複数の問題（設問）にそれぞれ対応する。生徒は、各設問に応じて、答案用紙Ｓの各解答欄に答案Ａ（Ａ１〜Ａ６）を手書きで記入する。答案Ａ１〜Ａ５は、数値を記入した答案の一例である。答案Ａ６は、文章を記述した答案、図を描画した答案、及び、解答を求める思考の過程を記入した答案の一例である。以下、「答案Ａ」は、１つの設問に対応する１つの答案（例えば、答案Ａ１、答案Ａ２、答案Ａ３、答案Ａ４、答案Ａ５、又は答案Ａ６）を示す。図２に示す答案用紙Ｓには、答案Ａを書き込む領域を示す枠線が解答欄として記載されているが、枠線が記載されていることは必須ではない。
【００２２】
続いて、図２及び図３を参照して、画像読取装置１００、サーバー装置２００、及びタブレットＰＣ３００の構成について説明する。図３は、答案処理システム１の構成を示すブロック図である。
【００２３】
画像読取装置１００は、第１制御部１１０と、第１送信部１４０（送信部）とを備える。第１制御部１１０は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及びＨＤＤ（Ｈａｒｄ  Ｄｉｓｋ  Ｄｒｉｖｅ）を含む。第１制御部１１０は、ＣＰＵが、ＲＯＭ又はＨＤＤに格納された制御プログラムを実行することによって動作する。ＲＡＭは、ＣＰＵが制御プログラムを実行する際の作業領域として用いられる。また、第１制御部１１０は、読取部１２０と第１記憶部１３０とを含む。
【００２４】
読取部１２０は、答案用紙Ｓの画像を読み取り、答案用紙画像情報ＳＧＤを生成する。具体的には、読取部１２０は、タッチパネルを介して入力された読取要求に基づいて、答案用紙Ｓの画像である答案用紙画像ＳＧを読み取り、対応する答案用紙画像情報ＳＧＤを生成する。
【００２５】
答案用紙画像ＳＧは、テスト識別画像ＴＧと、生徒識別画像ＥＧと、答案画像ＡＧ（ＡＧ１〜ＡＧ５）とを含む。テスト識別画像ＴＧは、テスト識別記号Ｔを示す。生徒識別画像ＥＧは、生徒識別記号Ｅを示す。答案画像ＡＧは、答案Ａを示す。答案画像ＡＧ１〜ＡＧ５は、それぞれ、答案Ａ１〜Ａ５に対応する。
【００２６】
答案用紙画像情報ＳＧＤは、テスト識別画像ＴＧに対応するテスト識別画像情報ＴＧＤと、生徒識別画像ＥＧに対応する生徒識別画像情報ＥＧＤと、答案画像ＡＧに対応する答案画像情報ＡＧＤとを含む。読取部１２０は、第１記憶部１３０に答案用紙画像情報ＳＧＤを書き込む。
【００２７】
読取部１２０は、生成された答案用紙画像情報ＳＧＤに対してＯＣＲ（Ｏｐｔｉｃａｌ  Ｃｈａｒａｃｔｅｒ  Ｒｅｃｏｇｎｉｔｉｏｎ）処理を実行する。具体的には、読取部１２０は、答案用紙画像ＳＧのヘッダー部分に対応する画像情報を対象としてＯＣＲ処理を実行する。これにより、読取部１２０は、テスト識別画像情報ＴＧＤに基づいて、テストを識別するテスト識別情報ＴＤを取得する。同様に、読取部１２０は、生徒識別画像情報ＥＧＤに基づいて、生徒を識別する生徒識別情報ＥＤを取得する。読取部１２０は、取得した生徒識別情報ＥＤとテスト識別情報ＴＤとを答案用紙画像情報ＳＧＤに対応付けて第１記憶部１３０に書き込む。
【００２８】
第１記憶部１３０には、生徒識別情報ＥＤとテスト識別情報ＴＤとに対応付けられた答案用紙画像情報ＳＧＤが記憶されている。
【００２９】
第１送信部１４０は、答案用紙画像情報ＳＧＤをサーバー装置２００に送信する。具体的には、第１送信部１４０は、ユーザーの操作に応じて、生徒識別情報ＥＤとテスト識別情報ＴＤとに対応付けられた答案用紙画像情報ＳＧＤをサーバー装置２００に送信する。
【００３０】
引き続き図３を参照して、サーバー装置２００の構成について説明する。サーバー装置２００は、第２制御部２１０を備える。第２制御部２１０は、ＣＰＵ、ＲＯＭ、ＲＡＭ、及び、ＨＤＤを含む。第２制御部２１０は、ＣＰＵが、ＲＯＭ又はＨＤＤに格納された制御プログラムを実行することによって動作する。ＲＡＭは、ＣＰＵが制御プログラムを実行する際の作業領域として用いられる。また、第２制御部２１０は、第２受信部２２０（受信部）と、画像記録部２３０と、第２記憶部２４０と、第２送信部２５０（送信部）とを含む。
【００３１】
第２受信部２２０は、画像読取装置１００から答案用紙画像情報ＳＧＤを受信する。具体的には、第２受信部２２０は、生徒識別情報ＥＤとテスト識別情報ＴＤとに対応付けられた答案用紙画像情報ＳＧＤを画像読取装置１００から受信し、画像記録部２３０に通知する。
【００３２】
また、第２受信部２２０は、画像要求情報、採点結果情報ＣＤ、及び採点結果要求情報をタブレットＰＣ３００から受信し、画像記録部２３０に通知する。画像要求情報、採点結果情報ＣＤ、及び採点結果要求情報は、生徒識別情報ＥＤとテスト識別情報ＴＤとに対応付けられている。画像要求情報、採点結果情報ＣＤ、及び採点結果要求情報の詳細については、タブレットＰＣ３００の構成を参照して後述する。
【００３３】
画像記録部２３０は、画像読取装置１００から受信した答案用紙画像情報ＳＧＤを生徒識別情報ＥＤとテスト識別情報ＴＤとに対応付けて第２記憶部２４０に記録する。
【００３４】
また、画像記録部２３０は、タブレットＰＣ３００から受信した画像要求情報に基づいて、答案用紙画像情報ＳＧＤを第２記憶部２４０から読み出す。
【００３５】
また、画像記録部２３０は、タブレットＰＣ３００から受信した採点結果情報ＣＤを生徒識別情報ＥＤとテスト識別情報ＴＤとに対応付けて第２記憶部２４０に記録する。採点結果情報ＣＤは、採点者がタブレットＰＣ３００で答案用紙画像ＳＧを採点した結果を示す情報である。具体的には、画像記録部２３０は、第２受信部２２０から通知された採点結果情報ＣＤと生徒識別情報ＥＤとテスト識別情報ＴＤとに基づいて、対応する採点結果情報ＣＤが既に第２記憶部２４０に記憶されているか否かを検索する。対応する採点結果情報ＣＤが第２記憶部２４０に記憶されていない場合、画像記録部２３０は、生徒識別情報ＥＤとテスト識別情報ＴＤとに対応付けて第２記憶部２４０に新規に採点結果情報ＣＤを記録する。対応する採点結果情報ＣＤが第２記憶部２４０に既に記憶されている場合、画像記録部２３０は、対応する採点結果情報ＣＤに上書きして採点結果情報ＣＤを書き込む。
【００３６】
また、画像記録部２３０は、タブレットＰＣ３００が採点結果要求情報を受信した場合に、生徒識別情報ＥＤとテスト識別情報ＴＤとに対応する採点結果情報ＣＤを第２記憶部２４０から読み出す。
【００３７】
第２記憶部２４０には、生徒識別情報ＥＤ、テスト識別情報ＴＤ、答案用紙画像情報ＳＧＤ、及び採点結果情報ＣＤが記憶されている。生徒識別情報ＥＤ、テスト識別情報ＴＤ、答案用紙画像情報ＳＧＤ、及び採点結果情報ＣＤは、互いに対応付けられている。
【００３８】
第２送信部２５０は、答案用紙画像情報ＳＧＤをタブレットＰＣ３００に送信する。具体的には、第２送信部２５０は、画像記録部２３０が読み出した答案用紙画像情報ＳＧＤを生徒識別情報ＥＤとテスト識別情報ＴＤとに対応付けてタブレットＰＣ３００に送信する。
【００３９】
また、第２送信部２５０は、画像記録部２３０が読み出した採点結果情報ＣＤを生徒識別情報ＥＤとテスト識別情報ＴＤとに対応付けてタブレットＰＣ３００に送信する。
【００４０】
引き続き図３を参照して、タブレットＰＣ３００の構成について説明する。タブレットＰＣ３００は、第３制御部３１０を備える。第３制御部３１０は、ＣＰＵ、ＲＯＭ、ＲＡＭ及び、ＨＤＤを含む。第３制御部３１０は、ＣＰＵが、ＲＯＭ又はＨＤＤに格納された制御プログラム（「答案採点プログラム」を含む）を実行することによって動作する。ＲＡＭは、ＣＰＵが制御プログラムを実行する際の作業領域として用いられる。また、第３制御部３１０は、答案表示部３２０、評価画像表示部３３０、選択部３４０、累計得点表示部３５０、累計配点表示部３６０、評価画像変更部３７０、受付部３８１、第３受信部３８２、第３記憶部３８３、及び第３送信部３８４を含む。
【００４１】
受付部３８１は、タッチパネルを介して、ユーザーから各種情報と各種要求とを受け付ける。各種情報は、例えば、生徒識別情報ＥＤ、テスト識別情報ＴＤ、又は、タブレットＰＣ３００にログインする際のユーザーＩＤである。ユーザーは、自身を識別するユーザーＩＤをタッチパネルから入力してタブレットＰＣ３００にログインし、各種要求に応じてタッチパネルを操作する。各種要求は、例えば、画像要求、又は採点結果要求である。
【００４２】
画像要求は、サーバー装置２００に答案用紙画像情報ＳＧＤを要求する画像要求情報を送信する。画像要求情報は、例えば、対応する生徒識別情報ＥＤとテスト識別情報ＴＤとを含む。
【００４３】
採点結果要求は、採点結果情報ＣＤを要求する採点結果要求情報をサーバー装置２００に送信する。採点結果要求情報は、例えば、対応する生徒識別情報ＥＤとテスト識別情報ＴＤとを含む。
【００４４】
第３受信部３８２は、サーバー装置２００から送信される答案用紙画像情報ＳＧＤを受信する。第３受信部３８２は、受信した答案用紙画像情報ＳＧＤを第３記憶部３８３に記録する。
【００４５】
答案表示部３２０は、受信した答案用紙画像情報ＳＧＤに対応する答案用紙画像ＳＧを表示する。評価画像表示部３３０は、評価画像を表示する。答案表示部３２０及び評価画像表示部３３０の詳細については、図４を参照して後述する。
【００４６】
選択部３４０は、ユーザーからの入力に基づき、正答画像、誤答画像、及び一部正答画像のいずれか１つを選択する。累計得点表示部３５０は、正答画像が選択される度に、得点の累計である累計得点に配点を加算して更新し、更新された累計得点を表示する。累計配点表示部３６０は、正答画像、又は誤答画像が選択される度に、配点の累計である累計配点に配点を加算して更新し、更新された累計配点を表示する。選択部３４０、累計得点表示部３５０、及び累計配点表示部３６０の詳細については、図５を参照して後述する。
【００４７】
評価画像変更部３７０は、ユーザーからの入力に基づき、配置された評価画像の位置を変更する。評価画像変更部３７０の詳細については、図６及び図７を参照して後述する。
【００４８】
第３記憶部３８３には、サーバー装置２００から受信した答案用紙画像情報ＳＧＤが記憶されている。
【００４９】
また、第３記憶部３８３には、採点結果情報ＣＤが記憶されている。採点結果情報ＣＤは、採点者による採点が完了した答案用紙画像情報ＳＧＤ、又は、採点作業の途中で中断し保存された答案用紙画像情報ＳＧＤである。採点結果情報ＣＤは、テスト識別情報ＴＤと生徒識別情報ＥＤとに対応付けられている。また、採点結果情報ＣＤには、配置された評価画像の位置を示す情報と、正答画像に対応付けられた配点を示す情報と、一部正答画像に対応付けられた一部配点を示す情報とが含まれている。
【００５０】
また、第３記憶部３８３には、評価画像変更部３７０によって登録又は変更された、評価画像と、正答画像に対応付ける配点と、一部正答画像に対応付ける一部配点とが記憶されている。
【００５１】
第３送信部３８４は、ユーザーの操作に応じて、画像要求情報をサーバー装置２００に送信する。例えば、教師は、タッチパネルからテスト識別情報ＴＤと生徒識別情報ＥＤとを入力し、テスト識別情報ＴＤと生徒識別情報ＥＤとに対応する答案用紙画像情報ＳＧＤをサーバー装置２００に要求する。
【００５２】
また、第３送信部３８４は、ユーザーの操作に応じて、採点結果情報ＣＤをテスト識別情報ＴＤと生徒識別情報ＥＤとに対応付けてサーバー装置２００に送信する。第３送信部３８４は、採点結果情報ＣＤをサーバー装置２００に送信した後、第３記憶部３８３に記憶されている採点結果情報ＣＤを消去する。
【００５３】
また、第３送信部３８４は、ユーザーの操作に応じて、採点結果情報ＣＤを要求する採点結果要求情報をテスト識別情報ＴＤと生徒識別情報ＥＤとに対応付けてサーバー装置２００に送信する。
【００５４】
また、第３送信部３８４は、評価画像変更部３７０によって登録又は変更された、評価画像と、正答画像に対応付ける配点と、一部正答画像に対応付ける一部配点とを含む採点パターン情報をサーバー装置２００に送信する。第３送信部３８４は、採点パターン情報をサーバー装置２００に送信した後、第３記憶部３８３に記憶されている採点パターン情報を消去する。
【００５５】
続いて、図４を参照して、答案表示部３２０及び評価画像表示部３３０の詳細について説明する。図４は、タブレットＰＣ３００のディスプレー（タッチパネル）に表示される採点画面１０の一例を示す画面図である。採点画面１０は、第３受信部３８２がサーバー装置２００から答案用紙画像情報ＳＧＤを受信したときに表示する画面である。答案表示部３２０は、答案用紙画像情報ＳＧＤに対応する答案用紙画像ＳＧを画面左側に表示する。
【００５６】
評価画像表示部３３０は、評価画像３０をボタンとして画面右側に表示する。評価画像３０は、答案Ａの正否を評価する画像である。評価画像３０は、正答画像３１（例えば、○記号）と、誤答画像３２（例えば、×記号）と、一部正答画像３３（例えば、△記号）とを含む。評価画像３０は、図面では、便宜上、黒色で表示されているが、実際には赤色で表示される。正答画像３１は、答案Ａが正答であることを示す。正答画像３１は、答案Ａの配点３４（例えば、３０点）に対応付けられる。誤答画像３２は、答案Ａが誤答であることを示す。一部正答画像３３は、答案Ａの一部が正答であることを示す。一部正答画像３３は、配点３４のうち一部の配点を示す一部配点３５（例えば、２０点）に対応付けられる。
【００５７】
さらに、評価画像表示部３３０は、評価画像３０を複数個表示することが好ましい。本実施形態では、評価画像表示部３３０が３個の評価画像３０、３０Ａ、及び３０Ｂを表示する場合について説明する。具体的には、評価画像３０Ａは、正答画像３１Ａと誤答画像３２Ａと一部正答画像３３Ａとを含む。評価画像３０Ｂは、正答画像３１Ｂと誤答画像３２Ｂと一部正答画像３３Ｂとを含む。
【００５８】
複数個の評価画像３０、３０Ａ、及び３０Ｂに含まれる正答画像３１、３１Ａ、及び３１Ｂに対応付けられた配点３４、３４Ａ、及び３４Ｂは、それぞれ互いに異なる。例えば、正答画像３１Ａは、配点３４Ａ（２０点）に対応付けられる。同様に、正答画像３１Ｂは、配点３４Ｂ（１０点）に対応付けられる。また、一部正答画像３３、３３Ａ、及び３３Ｂに対応付けられた一部配点３５、３５Ａ、及び３５Ｂは、正答画像３１、３１Ａ、及び３１Ｂに対応付けられた配点３４、３４Ａ、及び３４Ｂの大きさに応じてそれぞれ設定される。例えば、一部正答画像３３Ａは、一部配点３５Ａ（１０点）に対応付けられる。同様に、一部正答画像３３Ｂは、一部配点３５Ｂ（５点）に対応付けられる。
【００５９】
続いて、図５を参照して、選択部３４０、累計得点表示部３５０、及び累計配点表示部３６０の詳細について説明する。図５は、タブレットＰＣ３００のディスプレー（タッチパネル）に表示される採点画面１１の一例を示す画面図である。採点画面１１は、採点者が設問毎に予め想定した模範解答と各配点とに基づいて、採点者が答案Ａ１から答案Ａ５まで採点したことを示す画面である。例えば、設問毎の配点は、答案Ａ１〜Ａ３は各１０点、答案Ａ４及びＡ５は各２０点、答案Ａ６は３０点である。本実施形態において、採点者は、答案画像ＡＧ毎に、評価画像３０、３０Ａ及び３０Ｂに含まれる画像のいずれか１つを正否に応じて指Ｆでタップし、対応する答案画像ＡＧを指Ｆでタップする。評価画像３０、３０Ａ及び３０Ｂ（例えば、誤答画像３２Ａ）が指Ｆでタップされてから、対応する答案画像ＡＧ（例えば、答案画像ＡＧ５）が指Ｆでタップされるまでの間、選択部３４０は、指Ｆでタップされた誤答画像３２Ａを他の評価画像３０、３０Ａ及び３０Ｂと異なる色で表示する（又は、点滅させる）。選択部３４０は、採点者からの入力に基づき、選択された正答画像３１、３１Ａ、３１Ｂ、誤答画像３２、３２Ａ、３２Ｂ、及び一部正答画像３３、３３Ａ、３３Ｂを答案用紙画像ＳＧに配置する。
【００６０】
例えば、採点者は、答案画像ＡＧ１に対して正答画像３１Ｂを指Ｆでタップする。選択部３４０は、答案画像ＡＧ１の近傍に正答画像３１Ｂに対応する正答画像４１Ｂを配置する。同様に、選択部３４０は、採点者の操作に応じて、答案画像ＡＧ２及びＡＧ３のそれぞれ近傍に誤答画像３２Ｂに対応する誤答画像４２Ｂを配置し、答案画像ＡＧ４の近傍に正答画像３１Ａに対応する正答画像４１Ａを配置し、答案画像ＡＧ５の近傍に誤答画像３２Ａに対応する誤答画像４２Ａを配置する。なお、指Ｆは、ディスプレー（タッチパネル）には表示されない。
【００６１】
さらに、選択部３４０は、配点３４Ｂに対応する得点４４Ｂ（１０点）を正答画像４１Ｂの近傍に表示する。同様に、選択部３４０は、配点３４Ａに対応する得点４４Ａ（２０点）を正答画像４１Ａの近傍に表示する。従って、ユーザーは、答案Ａに対応する得点を容易に確認することができる。
【００６２】
累計得点表示部３５０は、答案画像ＡＧ１に対応する得点４４Ｂ（１０点）に、答案画像ＡＧ４に対応する得点４４Ａ（２０点）を加算して、累計得点５０（３０点）を画面右上側に表示する。また、累計得点表示部３５０は、一部正答画像３３、３３Ａ、又は３３Ｂが選択される度に、累計得点５０に一部配点３５、３５Ａ、又は３５Ｂを加算して更新し、更新された累計得点５０を表示する。
【００６３】
累計配点表示部３６０は、答案画像ＡＧ１〜ＡＧ３に対応する各配点３４Ｂ（１０点）と、答案画像ＡＧ４及びＡＧ５に対応する各配点３４Ａ（２０点）とを加算して、累計配点６０（７０点）を画面右上側に表示する。また、累計配点表示部３６０は、一部正答画像３３、３３Ａ、又は３３Ｂが選択される度に、累計配点６０に一部配点３５、３５Ａ、又は３５Ｂを加算して更新し、更新された累計配点６０を表示する。
【００６４】
続いて、図６を参照して、引き続き累計得点表示部３５０の詳細と、さらに、累計配点表示部３６０と評価画像変更部３７０との詳細とについて説明する。図６は、タブレットＰＣ３００のディスプレー（タッチパネル）に表示される採点画面１２の一例を示す画面図である。採点画面１２は、図５に示した採点画面１１に対して、採点者が答案Ａ６を更に採点し、全ての答案Ａ（答案Ａ１〜Ａ６）の採点を完了したことを示す画面である。累計得点表示部３５０は、累計配点表示部３６０が累計配点６０として満点を表示した場合に、ユーザーからの入力に応じて、対応する累計得点５０を答案用紙画像ＳＧに配置して表示する。例えば、選択部３４０は、採点者の操作に応じて、一部正答画像３３に対応する一部正答画像４３を答案画像ＡＧ６の近傍に配置する。選択部３４０は、一部配点３５に対応する得点４５（２０点）を一部正答画像４３の近傍に表示する。累計得点表示部３５０は、図５に示した累計得点５０（３０点）に一部配点３５（２０点）を加算して更新し、更新された累計得点５０（５０点）を表示する。累計配点表示部３６０は、図５に示した累計配点６０（７０点）に一部配点３５（２０点）を加算して更新し、更新された累計配点６０（１００点）を表示する。
【００６５】
ここで、更新された累計配点６０（１００点）は、累計配点６０の満点を示す。累計配点表示部３６０が満点を表示した場合に、ユーザーは、得点表示ボタン（例えば、「適用」ボタン）５１をタップする。これにより、累計得点表示部３５０は、累計得点５０（５０点）に対応する累計得点５０Ｐ（下線付きの「５０」）を答案用紙画像ＳＧの所定の位置に表示する。累計得点表示部３５０は、累計得点５０Ｐを表示すると、答案用紙画像情報ＳＧＤを採点結果情報ＣＤとして第３記憶部３８３に記録する。これにより、ユーザー（教師）は答案用紙Ｓの採点を終了する。
【００６６】
例えば、採点画面１２で、採点者が答案用紙画像ＳＧに配置されている正答画像３１、３１Ａ、３１Ｂ、誤答画像３２、３２Ａ、３２Ｂ、及び一部正答画像３３、３３Ａ、３３Ｂのうちいずれか１つをタップして選択する。採点者は、変更したい位置で、再度、答案用紙画像ＳＧをタップする。評価画像変更部３７０は、採点者がタップした答案用紙画像ＳＧの位置に、選択された画像を移動する。なお、採点者は、位置を変更したい評価画像３０、３０Ａ及び３０Ｂをスライドさせて移動することもできる。
【００６７】
また、評価画像変更部３７０は、ユーザーからの入力に基づき、評価画像表示部３３０が表示する評価画像３０、３０Ａ及び３０Ｂのサイズを変更する。例えば、採点画面１２で、採点者が答案用紙画像ＳＧに配置されている正答画像３１、３１Ａ、３１Ｂ、誤答画像３２、３２Ａ、３２Ｂ、及び一部正答画像３３、３３Ａ、３３Ｂのうちいずれか１つをピンチイン又はピンチアウトする。評価画像変更部３７０は、採点者からの入力に基づき、評価画像３０、３０Ａ及び３０Ｂのサイズを縮小又は拡大する。評価画像変更部３７０は、変更した評価画像３０、３０Ａ及び３０Ｂのサイズをデフォルトとして設定する。評価画像変更部３７０は、変更したサイズを示すサイズ情報を、第３記憶部３８３に記録する。これにより、採点者は、同様の答案用紙Ｓを複数採点する際に、評価画像３０、３０Ａ及び３０Ｂのサイズを変更する作業を省略することができる。
【００６８】
続いて、図７を参照して、引き続き評価画像変更部３７０の詳細について説明する。図７は、タブレットＰＣ３００のディスプレーに表示される登録変更画面１３の一例を示す画面図である。評価画像変更部３７０は、ユーザーからの入力に基づき、評価画像表示部３３０が表示する評価画像３０、３０Ａ及び３０Ｂと、配点とを変更する。具体的には、正答画像３１、３１Ａ及び３１Ｂの近傍には、登録変更ボタン（例えば、「変更」ボタン）７０、７０Ａ及び７０Ｂがそれぞれ表示されている。例えば、配点３４を変更する場合、採点画面１０（図４）のような採点前の段階で、採点者は登録変更ボタン７０をタップする。これにより、子画面７２が答案用紙画像ＳＧの手前に表示され、登録変更の動作が開始する。
【００６９】
子画面７２には、正答画像３１に対応する登録画像７３、参照ボタン７４、配点変更ボタン７５、登録決定ボタン７６、及び変更キャンセルボタン７７が表示される。採点者は、配点変更ボタン７５をタップし、プルダウン表示から所望の配点（例えば、４０点）を選択する。採点者は、必要に応じて変更キャンセルボタン７７をタップすることにより、所望の配点を再度選択することもできる。さらに、採点者は、参照ボタン７４をタップすることにより、所望の画像（例えば、◎記号）を正答画像３１として新たに登録することもできる。採点者は、所望の配点を選択した後に、登録決定ボタン７６をタップし変更内容を登録する。その結果、採点者は、現状の配点３４（３０点）を所望の配点（４０点）に変更し登録することができる。配点３４を変更することによって、既に採点した答案Ａの累計配点が満点を超える場合には、評価画像変更部３７０は、累計配点が満点を超える旨のメッセージ（例えば、「累計配点の満点が１１０点になります。」）を表示し、採点者に更なる変更を促す。
【００７０】
一部正答画像３３、３３Ａ及び３３Ｂの近傍にも、登録変更ボタン７１、７１Ａ及び７１Ｂがそれぞれ表示されている。採点者は、正答画像３１、３１Ａ及び３１Ｂと同様に、一部正答画像３３、３３Ａ、３３Ｂに対応付ける一部配点３５、３５Ａ及び３５Ｂを変更する。
【００７１】
評価画像変更部３７０は、登録した評価画像３０、３０Ａ及び３０Ｂと、正答画像３１、３１Ａ及び３１Ｂに対応付ける配点と、一部正答画像３３、３３Ａ及び３３Ｂに対応付ける一部配点とを第３記憶部３８３に記録する。
【００７２】
続いて、図３及び図８を参照して、画像読取装置１００の答案処理について説明する。ここで説明する答案処理は、教師が画像読取装置１００に対して複数の答案用紙Ｓの読取りを要求する際に、画像読取装置１００が行う処理である。図８は、画像読取装置１００の答案処理を示すフローチャートである。
【００７３】
ステップＳ１０１において、ユーザー（教師）は、画像読取装置１００のタッチパネルでユーザー識別情報（例えば、ユーザーＩＤ）を入力して答案処理システム１にログインする。第１制御部１１０は、ユーザーＩＤの入力を受け付ける。処理は、ステップＳ１０３に進む。
【００７４】
次に、ステップＳ１０３において、ユーザー（教師）は、画像読取装置１００の原稿搬送装置に複数枚の答案用紙Ｓをセットする。教師は、タッチパネルの「読取開始」ボタンをタップすることによって、画像読取装置１００が答案用紙Ｓの画像の読取指示を実行する。第１制御部１１０は、読取指示を受け付け、読取要求を読取部１２０に通知する。処理は、ステップＳ１０５に進む。
【００７５】
次に、ステップＳ１０５において、読取部１２０は、読取要求に基づいて、答案用紙画像ＳＧを読み取り、対応する答案用紙画像情報ＳＧＤを取得する。処理は、ステップＳ１０７に進む。
【００７６】
次に、ステップＳ１０７において、読取部１２０は、答案用紙画像ＳＧに対してＯＣＲ処理を実行することによって、テスト識別情報ＴＤと生徒識別情報ＥＤとを取得する。読取部１２０は、取得した生徒識別情報ＥＤとテスト識別情報ＴＤとを答案用紙画像情報ＳＧＤに対応付けて第１記憶部１３０に記録する。処理は、ステップＳ１０９に進む。
【００７７】
次に、ステップＳ１０９において、第１送信部１４０は、ユーザーの操作に応じて、生徒識別情報ＥＤとテスト識別情報ＴＤとに対応付けられた答案用紙画像情報ＳＧＤをサーバー装置２００に送信する。処理は、ステップＳ３１７に進む。その後、処理は終了する。
【００７８】
続いて、図３及び図９を参照して、サーバー装置２００の答案処理について説明する。ここで説明する答案処理は、ユーザー（教師）がタブレットＰＣ３００からサーバー装置２００に対して答案用紙画像情報ＳＧＤを要求する際に、サーバー装置２００が行う処理である。図９は、サーバー装置２００の答案処理を示すフローチャートである。
【００７９】
ステップＳ２０９において、第２受信部２２０は、生徒識別情報ＥＤとテスト識別情報ＴＤとに対応付けられた答案用紙画像情報ＳＧＤを画像読取装置１００から受信する。処理は、ステップＳ２１１に進む。ステップＳ２０９は、図８を参照して説明した画像読取装置１００の答案処理のステップＳ１０９に一部対応している。
【００８０】
次に、ステップＳ２１１において、画像記録部２３０は、受信した答案用紙画像情報ＳＧＤを生徒識別情報ＥＤとテスト識別情報ＴＤとに対応付けて第２記憶部２４０に記録する。処理は、ステップＳ２１３に進む。
【００８１】
次に、ステップＳ２１３において、第２受信部２２０は、生徒識別情報ＥＤとテスト識別情報ＴＤとに対応付けられた画像要求情報をタブレットＰＣ３００から受信する。処理は、ステップＳ２１５に進む。
【００８２】
次に、ステップＳ２１５において、画像記録部２３０は、受信した生徒識別情報ＥＤと、第２記憶部２４０に記憶されている生徒識別情報ＥＤとを照合する。これにより、画像記録部２３０は、対応する生徒識別情報ＥＤが第２記憶部２４０に記憶されているか否かを判定する。対応する生徒識別情報ＥＤが第２記憶部２４０に記憶されている場合（ステップＳ２１５でＹＥＳ）には、処理はステップＳ２１７に進む。一方、対応する生徒識別情報ＥＤが第２記憶部２４０に記憶されていない場合（ステップＳ２１５でＮＯ）には、処理はステップＳ２３９に進む。
【００８３】
次に、ステップＳ２１７において、画像記録部２３０は、受信したテスト識別情報ＴＤと、第２記憶部２４０に記憶されているテスト識別情報ＴＤとを照合する。これにより、画像記録部２３０は、対応するテスト識別情報ＴＤが第２記憶部２４０に記憶されているか否かを判定する。対応するテスト識別情報ＴＤが第２記憶部２４０に記憶されている場合（ステップＳ２１７でＹＥＳ）には、処理はステップＳ２１９に進む。一方、対応するテスト識別情報ＴＤが第２記憶部２４０に記憶されていない場合（ステップＳ２１７でＮＯ）には、処理はステップＳ２３９に進む。
【００８４】
次に、ステップＳ２１９において、画像記録部２３０は、生徒識別情報ＥＤとテスト識別情報ＴＤとに対応付けられた答案用紙画像情報ＳＧＤを第２記憶部２４０から読み出す。第２送信部２５０は、読み出された答案用紙画像情報ＳＧＤをタブレットＰＣ３００に送信する。処理は、ステップＳ２３９に進む。
【００８５】
次に、ステップＳ２３９において、タブレットＰＣ３００から送信された採点結果情報ＣＤを第２受信部２２０が受信した場合（ステップＳ２３９でＹＥＳ）には、処理はステップＳ２４１に進む。一方、第２受信部２２０が採点結果情報ＣＤを受信しなかった場合（ステップＳ２３９でＮＯ）には、その後、処理は終了する。
【００８６】
次に、ステップＳ２４１において、画像記録部２３０は、受信した採点結果情報ＣＤを生徒識別情報ＥＤとテスト識別情報ＴＤとに対応付けて第２記憶部２４０に記録する。その後、処理は終了する。
【００８７】
続いて、図３及び図１０を参照して、タブレットＰＣ３００の答案処理について説明する。ここで説明する答案処理は、ユーザー（教師）がタブレットＰＣ３００からサーバー装置２００に答案用紙画像情報ＳＧＤを要求し、タブレットＰＣ３００で答案用紙Ｓを採点する処理である。図１０は、タブレットＰＣ３００の答案処理を示すフローチャートである。
【００８８】
ステップＳ３１３において、教師の操作に応じて、第３送信部３８４は、生徒識別情報ＥＤとテスト識別情報ＴＤとに対応付けて、画像要求情報をサーバー装置２００に送信する。処理は、ステップＳ３１９に進む。ステップＳ３１３は、図９を参照して説明したサーバー装置２００の答案処理のステップＳ２１３に一部対応している。
【００８９】
次に、ステップＳ３１９において、第３受信部３８２が答案用紙画像情報ＳＧＤを受信したか否かを判定する。具体的には、第３受信部３８２は、画像要求情報に応じてサーバー装置２００から送信される答案用紙画像情報ＳＧＤを受信する。第３受信部３８２は、第３記憶部３８３に答案用紙画像情報ＳＧＤを記録する。第３受信部３８２が答案用紙画像情報ＳＧＤを受信した場合（ステップＳ３１９でＹＥＳ）には、処理はステップＳ３２１に進む。ステップＳ３１９は、図９を参照して説明したサーバー装置２００の答案処理のステップＳ２１９に一部対応している。一方、第３受信部３８２が答案用紙画像情報ＳＧＤを受信しなかった場合（ステップＳ３１９でＮＯ）には、処理は終了する。
【００９０】
次に、ステップＳ３２１において、答案表示部３２０は、受信した答案用紙画像情報ＳＧＤに対応する答案用紙画像ＳＧをディスプレー（タッチパネル）に表示する。処理は、ステップＳ３２３に進む。
【００９１】
次に、ステップＳ３２３において、選択部３４０は、教師からの入力に基づき、評価画像３０、３０Ａ及び３０Ｂのうち、正答画像３１、３１Ａ、３１Ｂ、誤答画像３２、３２Ａ、３２Ｂ、及び一部正答画像３３、３３Ａ、３３Ｂのいずれか１つを選択する。処理は、ステップＳ３２５に進む。
【００９２】
次に、ステップＳ３２５において、選択部３４０は、選択された評価画像３０、３０Ａ及び３０Ｂを答案用紙画像ＳＧに配置する。処理は、ステップＳ３２７に進む。
【００９３】
次に、ステップＳ３２７において、評価画像変更部３７０は、教師からの入力に基づき、評価画像表示部３３０が表示する評価画像３０、３０Ａ及び３０Ｂのサイズを変更する。処理は、ステップＳ３２９に進む。
【００９４】
次に、ステップＳ３２９において、累計得点表示部３５０は、正答画像３１、３１Ａ、又は３１Ｂが選択される度に、累計得点５０に、それぞれ、配点３４、３４Ａ、又は３４Ｂを加算して更新し、更新された累計得点５０を表示する。また、累計得点表示部３５０は、一部正答画像３３、３３Ａ、又は３３Ｂが選択される度に、累計得点５０に、それぞれ、一部配点３５、３５Ａ、又は３５Ｂを加算して更新し、更新された累計得点５０を表示する。処理は、ステップＳ３３１に進む。
【００９５】
次に、ステップＳ３３１において、累計配点表示部３６０は、正答画像３１、３１Ａ、３１Ｂ、又は誤答画像３２、３２Ａ、３２Ｂが選択される度に、配点の累計である累計配点６０に、それぞれ、配点３４、３４Ａ、又は３４Ｂを加算して更新し、更新された累計配点６０を表示する。また、累計配点表示部３６０は、一部正答画像３３、３３Ａ、又は３３Ｂが選択される度に、累計配点６０に、それぞれ、一部配点３５、３５Ａ、又は３５Ｂを加算して更新し、更新された累計配点６０を表示する。処理は、ステップＳ３３３に進む。
【００９６】
次に、ステップＳ３３３において、累計配点表示部３６０が表示した累計配点６０が満点と一致する場合（ステップＳ３３３でＹＥＳ）には、処理はステップＳ３３５に進む。一方、累計配点表示部３６０が表示した累計配点６０が満点と一致していない場合（ステップＳ３３３でＮＯ）には、処理はステップＳ３３７に進む。
【００９７】
上述したステップＳ３３３でＹＥＳの場合、処理はステップＳ３３５に進む。ステップＳ３３５において、教師は、得点表示ボタン５１をタップする。これにより、累計得点表示部３５０は、累計得点５０に対応する累計得点５０Ｐを答案用紙画像ＳＧの所定の位置に表示する。処理は、ステップＳ３３９に進む。
【００９８】
上述したステップＳ３３３でＮＯの場合、処理はステップＳ３３７に進む。ステップＳ３３７において、教師が休憩又は中断等により採点作業を終了する場合（ステップＳ３３７でＹＥＳ）には、処理はステップＳ３３９に進む。一方、教師が採点作業を終了しない場合（ステップＳ３３７でＮＯ）には、処理はステップＳ３２３に戻る。
【００９９】
上述したステップＳ３３７でＹＥＳの場合、処理はステップＳ３３９に進む。ステップＳ３３９において、第３送信部３８４は、ユーザーの操作に応じて、採点結果情報ＣＤをテスト識別情報ＴＤと生徒識別情報ＥＤとに対応付けてサーバー装置２００に送信する。第３送信部３８４は、採点結果情報ＣＤをサーバー装置２００に送信した後、第３記憶部３８３に記憶されている採点結果情報ＣＤを消去する。そして、処理は終了する。
【０１００】
以上、図１〜図１０を参照して説明したように、タブレットＰＣ３００の選択部３４０は、ユーザーからの入力に基づき、正答画像３１又は誤答画像３２を選択する。累計得点表示部３５０は、正答画像３１が選択される度に、配点３４を加算して更新した累計得点５０を表示する。累計配点表示部３６０は、正答画像３１又は誤答画像３２が選択される度に、配点３４を加算して更新した累計配点６０を表示する。従って、ユーザーは、累計得点５０と累計配点６０とを視認しつつ、採点作業を進めることができる。その結果、採点漏れを抑制することができる。
【０１０１】
さらに、本実施形態によれば、評価画像変更部３７０は、ユーザーからの入力に基づき、評価画像３０と、正答画像３１に対応付ける配点３４とを変更する。これにより、ユーザーは、テストの設問毎に所望の配点３４を容易に設定することができる。
【０１０２】
さらに、本実施形態によれば、一部正答画像３３は、配点３４のうち所定の割合の配点を示す一部配点３５に対応付けられる。ユーザーは、答案Ａの内容に応じて一部正答画像３３を答案用紙Ｓに表示し、対応する一部配点３５を累計得点５０に加算する。これにより、記述形式の答案Ａ（例えば、国語の記述問題及び数学の証明問題に対する答案Ａ）に対して、解答内容の充実度に応じて臨機応変に採点することができる。また、単一の解答が無い設問（例えば、小論文問題）に対する答案Ａについても、正答画像３１及び誤答画像３２に限定されることなく、採点することができる。その結果、採点の自由度を向上することができる。
【０１０３】
さらに、本実施形態によれば、複数の評価画像３０、３０Ａ、及び３０Ｂに含まれる正答画像３１、３１Ａ、及び３１Ｂに対応付けられた配点３４、３４Ａ、及び３４Ｂは、それぞれ異なる。選択部３４０は、ユーザーからの入力に基づき、評価画像３０、３０Ａ、及び３０Ｂのいずれかに含まれる正答画像３１、３１Ａ、及び３１Ｂ、誤答画像３２、３２Ａ、及び３２Ｂ、又は一部正答画像３３、３３Ａ、及び３３Ｂを選択する。従って、テストの各設問内容の難易度に応じて配点に重み付けをすることが必要な場合に、ユーザーは、簡素な構成により、重み付けに対応した配点を用いて採点することができる。
【０１０４】
さらに、本実施形態によれば、累計配点表示部３６０が満点を表示した場合に、ユーザーが得点表示ボタン５１をタップする。ユーザーからの入力に応じて、累計得点表示部３５０は、対応する累計得点５０を答案用紙画像ＳＧに表示する。換言すれば、累計配点表示部３６０が満点を表示していない場合にユーザーが得点表示ボタン５１をタップしても、累計得点表示部３５０は、対応する累計得点５０を答案用紙画像ＳＧに表示しない。従って、採点漏れを更に抑制することができる。
【０１０５】
さらに、本実施形態によれば、ユーザーは、評価画像３０、３０Ａ及び３０Ｂを所望の位置に配置することができる。また、ユーザーは、配置された評価画像３０、３０Ａ及び３０Ｂの位置とサイズとを変更することができる。従って、評価画像３０、３０Ａ及び３０Ｂが答案Ａに重なって見辛くならないように、位置を簡易に調整することができる。さらに、解答欄を示す枠の形状に応じて評価画像３０、３０Ａ及び３０Ｂのサイズを簡易に調整することができる。
【０１０６】
続いて、図３及び図１１を参照して、タブレットＰＣ３００の画像閲覧処理について説明する。ここで説明する画像閲覧処理は、ユーザー（生徒又は教師）が採点結果の画像の閲覧をタブレットＰＣ３００からサーバー装置２００に要求する際に、タブレットＰＣ３００が実行する処理である。図１１は、タブレットＰＣ３００の画像閲覧処理を示すフローチャートである。
【０１０７】
ステップＳ４５１において、ユーザーの操作に応じて、第３送信部３８４は、生徒識別情報ＥＤとテスト識別情報ＴＤとに対応付けて、採点結果要求情報をサーバー装置２００に送信する。処理は、ステップＳ４５７に進む。
【０１０８】
次に、ステップＳ４５７において、第３受信部３８２が採点結果情報ＣＤを受信したか否かを判定する。具体的には、第３受信部３８２は、採点結果要求情報に応じてサーバー装置２００から送信される採点結果情報ＣＤを受信する。第３受信部３８２は、第３記憶部３８３に採点結果情報ＣＤを記録する。第３受信部３８２が採点結果情報ＣＤを受信した場合（ステップＳ４５７でＹＥＳ）には、処理はステップＳ４５９に進む。一方、第３受信部３８２が採点結果情報ＣＤを受信しなかった場合（ステップＳ４５７でＮＯ）には、処理は終了する。
【０１０９】
次に、ステップＳ４５９において、答案表示部３２０は、受信した採点結果情報ＣＤに対応する、採点済みの答案用紙画像ＳＧをディスプレー（タッチパネル）に表示する。ユーザーは、ディスプレーに表示された採点済みの答案用紙画像ＳＧを閲覧する。また、教師は、採点を中断して保存した答案用紙画像ＳＧをディスプレーに表示する場合もある。処理は、ステップＳ４６１に進む。
【０１１０】
次に、ステップＳ４６１において、教師が、採点を中断して保存した答案用紙画像情報ＳＧＤを編集（採点）する場合（ステップＳ４６１でＹＥＳ）には、処理はステップＳ４６３に進む。一方、生徒又は教師が答案用紙画像情報ＳＧＤを編集しない場合（ステップＳ４６１でＮＯ）には、処理は終了する。
【０１１１】
次に、ステップＳ４６３において、教師は、採点を中断して保存した答案用紙画像情報ＳＧＤを編集（採点）する。具体的には、図１０を参照して説明したステップＳ３２３〜Ｓ３３７の処理を実行する。処理は、ステップＳ４６５に進む。
【０１１２】
ステップＳ４６５において、第３送信部３８４は、ユーザーの操作に応じて、編集した採点結果情報ＣＤをテスト識別情報ＴＤと生徒識別情報ＥＤとに対応付けてサーバー装置２００に送信する。第３送信部３８４は、採点結果情報ＣＤをサーバー装置２００に送信した後、第３記憶部３８３に記憶されている採点結果情報ＣＤを消去させる。そして、処理は終了する。
【０１１３】
続いて、図３及び図１２を参照して、サーバー装置２００の画像閲覧処理について説明する。ここで説明する画像閲覧処理は、ユーザー（生徒又は教師）がタブレットＰＣ３００から採点結果の画像の閲覧をサーバー装置２００に対して要求する際に、サーバー装置２００が実行する処理である。図１１は、サーバー装置２００の画像閲覧処理を示すフローチャートである。
【０１１４】
ステップＳ５５１において、第２受信部２２０は、生徒識別情報ＥＤとテスト識別情報ＴＤとに対応付けられた採点結果要求情報をタブレットＰＣ３００から受信する。処理は、ステップＳ５１５に進む。ステップＳ５５１は、図１１を参照して説明したタブレットＰＣ３００の画像閲覧処理のステップＳ４５１に一部対応している。
【０１１５】
ステップＳ５１５及びステップＳ５１７の各々は、図９を参照して説明したステップＳ２１５及びステップＳ２１７の各々に対応しており、同様の処理を実行する。ステップＳ５１７でＹＥＳの場合、処理はステップＳ５５７に進む。ステップＳ５１５でＮＯ、又はステップＳ５１７でＮＯの場合、処理は終了する。
【０１１６】
次に、ステップＳ５５７において、画像記録部２３０は、生徒識別情報ＥＤとテスト識別情報ＴＤとに対応付けられた採点結果情報ＣＤを第２記憶部２４０から読み出す。第２送信部２５０は、読み出された採点結果情報ＣＤをタブレットＰＣ３００に送信する。処理は、ステップＳ５３９に進む。
【０１１７】
ステップＳ５３９は、図９を参照して説明したステップＳ２３９に対応しており、同様の処理を実行する。処理は、ステップＳ５１５に進む。
【０１１８】
ステップＳ５１５及びステップＳ５１７の各々は、図９を参照して説明したステップＳ２１５及びステップＳ２１７の各々に対応しており、同様の処理を実行する。ステップＳ５１７でＹＥＳの場合、処理はステップＳ５７３に進む。ステップＳ５１５でＮＯ、又はステップＳ５１７でＮＯの場合、処理は終了する。
【０１１９】
次に、ステップＳ５７３において、画像記録部２３０は、受信した採点結果情報ＣＤを生徒識別情報ＥＤとテスト識別情報ＴＤとに対応付けて第２記憶部２４０に上書きする。そして、処理は終了する。
【０１２０】
以上、図１〜図１２を参照して説明したように、タブレットＰＣ３００は閲覧用としても使用し得る。ユーザー（生徒及び教師）は、タブレットＰＣ３００を介して採点結果を容易に確認できる。なお、答案処理システム１は、採点機能を有するタブレットＰＣ３００と、閲覧機能を有するタブレットＰＣ４００とを備えることもできる。
【０１２１】
以上、図面（図１〜図１２）を参照しながら本発明の実施形態を説明した。但し、本発明は、上記の実施形態に限られるものではなく、その要旨を逸脱しない範囲で種々の態様において実施することが可能である（例えば、下記に示す（１）〜（１０））。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の色、長さ、個数、間隔等は、図面作成の都合上から実際とは異なる。また、上記の実施形態で示す各構成要素の材質、形状等は一例であって、特に限定されるものではなく、本発明の構成から実質的に逸脱しない範囲で種々の変更が可能である。
【０１２２】
（１）画像読取装置１００は、本実施形態においてスキャナーとして説明していたが、本発明はこれに限られない。例えば、画像読取装置１００を複合機（ＭＦＰ）に搭載することができる。そのような実施形態において、ユーザー（教師）は、サーバー装置２００に記憶されている採点結果情報ＣＤを画像形成装置にダウンロードし、複合機で印刷することができる。その結果、教師は、採点された答案用紙Ｓを紙媒体として生徒に配布し、又は、保管することができる。
【０１２３】
（２）タブレットＰＣ３００を一例として説明した答案採点装置は、タブレットＰＣ３００のＲＯＭ又はＨＤＤに格納された答案採点プログラムをＣＰＵが実行することによって機能していたが、本発明はこれに限られない。例えば、答案採点プログラムがサーバー装置２００のＲＯＭ又はＨＤＤに格納されている実施形態でもよい。このような実施形態において、サーバー装置２００は、本実施形態におけるタブレットＰＣ３００の第３制御部３１０の各機能を備える。換言すれば、サーバー装置２００は、「答案採点装置」に相当する。ユーザー（教師）は、インターネットを介してタブレットＰＣ３００からサーバー装置２００に接続し、答案を採点する。
【０１２４】
（３）画像読取装置１００の読取部１２０は、ＯＣＲ処理を実行することによって、生徒識別情報ＥＤとテスト識別情報ＴＤとを取得していたが、本発明はこれに限られない。例えば、教師が、読取要求をする際に、生徒識別情報ＥＤとテスト識別情報ＴＤとをタッチパネルを介して入力してもよい。
【０１２５】
（４）タブレットＰＣ３００の第３送信部３８４は、生徒識別情報ＥＤとテスト識別情報ＴＤとに対応付けられた画像要求情報（又は採点結果要求情報）をサーバー装置２００に送信していたが、本発明はこれに限られない。例えば、特定のテストを受験した全ての生徒の答案用紙Ｓを採点（又は閲覧）する場合には、第３送信部３８４は、テスト識別情報ＴＤにのみ対応付けられた画像要求情報（又は採点結果要求情報）をサーバー装置２００に送信することができる。また、例えば、特定の１人の生徒が受験した全てのテストに対応する答案用紙Ｓを採点（又は閲覧）する場合には、第３送信部３８４は、生徒識別情報ＥＤに対応付けられた画像要求情報（又は採点結果要求情報）をサーバー装置２００に送信することができる。従って、タブレットＰＣ３００からサーバー装置２００に画像要求情報（又は採点結果要求情報）を送信する際、生徒識別情報ＥＤ又はテスト識別情報ＴＤをタブレットＰＣ３００のタッチパネルで答案用紙毎に入力する操作を省略することができる。その結果、複数の答案用紙Ｓを採点（又は閲覧）する作業時間を短縮することができる。
【０１２６】
（５）タブレットＰＣ３００の累計得点表示部３５０は、累計配点表示部３６０が累計配点６０として満点を表示した場合に、ユーザーからの入力（「適用」ボタンへのタップ動作）に応じて、対応する累計得点５０を答案用紙画像ＳＧに表示したが、本発明はこれに限られない。例えば、「適用」ボタンへのタップ動作を不要とするようにユーザーが予め設定することにより、累計得点表示部３５０は、累計配点表示部３６０が累計配点６０として満点を表示した場合に、累計配点表示部３６０が、対応する累計得点５０を答案用紙画像ＳＧに表示してもよい。この形態では、「適用」ボタンへのタップ動作が不要となるため、ユーザーの利便性を向上することができる。
【０１２７】
（６）答案処理システム１は、成績管理システムのようなデータ管理システムと連携することができる。成績管理システムは、例えば、各生徒が受験した各種テストの採点結果情報ＣＤを記録し、生徒別、又は、科目別に、採点結果情報ＣＤを統計的に処理する。このような成績管理システムと連携することによって、ユーザー（教師）は、採点結果情報ＣＤをより有効に利用することができる。
【０１２８】
（７）タブレットＰＣ３００の第３記憶部３８３は、採点テーブル情報を備えてもよい。採点テーブル情報には、各答案の配点と解答欄の位置とが対応付けて設定されている。このような採点テーブル情報を予め答案用紙Ｓと対応付けて設定しておくことによって、教師が答案用紙Ｓを採点する際、例えば、採点対象の解答欄の位置を採点作業の進行と共に順次点灯して表示させることができる。また、教師が答案用紙Ｓを採点する際、例えば、答案Ａに対応する配点を有する評価画像３０、３０Ａ、及び３０Ｂを採点の進行と共に順次強調して表示させることもできる。
【０１２９】
（８）タブレットＰＣ３００の評価画像変更部３７０は、ユーザーからの入力に基づき、評価画像３０、３０Ａ、及び３０Ｂを変更していたが、本発明はこれに限られない。評価画像変更部３７０は、ユーザーからの入力に基づき、例えば、「良くできました」のような文字を示す画像、及び「花丸」のような図形を示す画像を登録することもできる。選択部３４０は、ユーザーからの入力に基づき、これらの画像を選択し、答案用紙画像ＳＧに表示させる。これによって、正答画像、誤答画像、及び一部正答画像のような評価画像に限らず、様々な形式で答案用紙Ｓを採点することができる。その結果、テストに対する生徒の意欲を向上させることができる。
【０１３０】
（９）サーバー装置２００の第２制御部２１０は、更に集計部を備えてもよい。集計部は、生徒識別情報ＥＤとテスト識別情報ＴＤとに対応付けられた採点結果情報ＣＤに基づいて、各テストの平均点を求める。ユーザー（教師）は、サーバー装置２００の集計部で求められた特定のテストの平均点をタブレットＰＣ３００から参照しながら、他の生徒が提出した同じテストの答案用紙Ｓを採点する。評価画像表示部３３０は、教師の操作に応じて、平均点に対応させて配点を変更する。従って、採点作業中のテストの平均点が低く（又は高く）なり過ぎる場合に、教師は、各設問の配点を調整することができる。その結果、テストの平均点が低く（又は高く）なり過ぎることを抑制することができる。
【０１３１】
（１０）タブレットＰＣ３００の評価画像変更部３７０は、採点画面１０（図４）に示すような採点前の段階で、登録変更画面１３を参照して説明した変更（例えば、配点の変更）を実行していたが、本発明はこれに限られない。例えば、採点画面１１（図５）に示すような採点途中の段階、又は採点画面１２（図６）に示すような累計得点５０Ｐを表示した段階で、評価画像変更部３７０は、登録変更画面１３に示す変更を実行することができる。評価画像変更部３７０によって配置された評価画像３０、３０Ａ、及び３０Ｂは、設定された配点に対応付けられているため、上記の変更の実行後に、評価画像変更部３７０は、採点が既に済んでいる各答案Ａに対応する配点に対し、変更内容を反映することができる。
【産業上の利用可能性】
【０１３２】
本発明は、答案採点プログラム、答案採点装置、及び答案処理システムの分野に利用可能である。
【符号の説明】
【０１３３】
１      答案処理システム
３０、３０Ａ、３０Ｂ    評価画像
３１、３１Ａ、３１Ｂ    正答画像
３２、３２Ａ、３２Ｂ    誤答画像
３３、３３Ａ、３３Ｂ    一部正答画像
３４、３４Ａ、３４Ｂ    配点
３５、３５Ａ、３５Ｂ    一部配点
５０、５０Ｐ    累計得点
６０    累計配点
１００  画像読取装置
１２０  読取部
１４０  第１送信部（画像読取装置の送信部）
２００  サーバー装置
２２０  第２受信部
２５０  第２送信部（サーバー装置の送信部）
３００  タブレットＰＣ（答案採点装置）
３２０  答案表示部
３３０  評価画像表示部
３４０  選択部
３５０  累計得点表示部
３６０  累計配点表示部
３７０  評価画像変更部
Ａ、Ａ１〜Ａ６    答案
Ｓ      答案用紙
ＳＧ    答案用紙画像
ＳＧＤ  答案用紙画像情報
【図１】
0006350408.tif 000002
【図２】
0006350408.tif 000003
【図３】
0006350408.tif 000004
【図４】
0006350408.tif 000005
【図５】
0006350408.tif 000006
【図６】
0006350408.tif 000007
【図７】
0006350408.tif 000008
【図８】
0006350408.tif 000009
【図９】
0006350408.tif 000010
【図１０】
0006350408.tif 000011
【図１１】
0006350408.tif 000012
【図１２】
0006350408.tif 000013